(57)【要約】【課題】  「胴切れ」の発生しない書画カメラ付き液晶プロジェクタの走査変換回路を提供する。【解決手段】  本発明によれば、走査変換部１４、書込制御信号生成部１８、読出制御信号生成部１９とからなる走査変換回路を構成し、書き込み側の同期信号から生成された書き込み／読み出し切換信号の基になる信号を読出し側の同期信号でラッチすることで読み出し側の同期信号と同期を取ってダブルバッファメモリの書き込み／読み出しを切り換えるようにしたので、読み出しの途中で読み出し側のメモリの切換が起こらないようにすることが可能となる。【選択図】        図１
2005258237.tif 000002
【特許請求の範囲】
【請求項１】
液晶駆動用同期信号Ｘのフレームレートと異なるフレームレート
の同期信号Ｙを有する書画カメラからの映像も拡大投影する書画カメラ付き液晶
プロジェクタに用いられる走査変換回路であって、
交互に書き込み／読み出しが切り換え可能な２フレーム分の映像格納領域を備
えるダブルバッファメモリと、
液晶駆動用同期信号Ｘを基に、前記ダブルバッファメモリに格納されている映
像データの読み出しを制御する読み出し制御信号と読み出しアドレス信号を生成
する読出制御信号生成部と、
書画カメラの同期信号Ｙと液晶駆動用同期信号Ｘを受けて、同期信号Ｙにより
前記ダブルバッファメモリの書き込み／読み出し切換信号の基になる信号を生成
し、この信号を同期信号Ｘでラッチすることにより読み出し側の同期信号と同期
を取って前記ダブルバッファメモリの書き込み／読み出し切換信号を生成するこ
と；  この書き込み／読み出し切換信号と同期信号Ｙを基に、前記ダブルバッフ
ァメモリの書き込みを制御する書き込み制御信号と書き込みアドレス信号を生成
すること；  を実行する書込制御信号生成部と、
これらの書き込み制御信号および書き込みアドレス信号と読み出し制御信号お
よび読み出しアドレス信号を前記書き込み／読み出し切換信号で前記ダブルバッ
ファメモリの書き込み側／読み出し側のメモリにそれぞれ選択して出力する選択
部と
を有することを特徴とする書画カメラ付き液晶プロジェクタの走査変換回路。
【請求項２】
前記書画カメラはＣＣＤカラーカメラであることを特徴とする請
求項１記載の書画カメラ付き液晶プロジェクタの走査変換回路。
【発明の詳細な説明】
【技術分野】
【０００１】
本発明は、書画カメラ付き液晶プロジェクタに係り、特に書画カメラで得られ
た映像信号をフレームレートの異なる液晶パネル駆動信号の同期信号に基づく別
の走査周波数に変換する走査変換回路に関するものである。
【背景技術】
【０００２】
従来コンピュータの画像やビデオ映像等をスクリーンに拡大投影する液晶プロ
ジェクタ等の投射型表示装置が知られている。そして、このような投射型表示装
置の入力源の一つにカメラを設けた書画カメラ付き液晶プロジェクタも知られて
いる。このように投射型表示装置には複数の入力源からの映像信号を入力するこ
とができるが、この入力映像信号には多様な規格が存在する。
【０００３】
例えば、ＸＧＡ（eXtended graphics Array）用の液晶プロジェクタに１６０
０×１２００画素のＵＸＧＡ（Ultra eXtended Graphics Array）サイズの書画
カメラからの映像を入力して投射する場合には、解像度をＸＧＡ用の１０２４×
７６８画素に変換して表示する必要がある。そして、解像度を変更すると共に走
査変換が必要性となる。フレームレートが大きく異なり、そのままでは拡大投射
しても、映像を構成せず、何が表示されているか全く分からないからである。
【０００４】
このような、走査変換回路としては、種々な名称の回路が公知であるが、その
一つとして同期変換回路が知られている。
図４は、その従来例の一つである同期変換回路である。図４において、同期変
換回路１００は、書き込み制御回路１１１と、メモリ１１２と、読み出し制御回
路１１３とから構成されている。書き込み制御回路１１１は、図示しない書画カ
メラの同期信号でメモリ１１２に二値化信号ｃ１を書き込ませる。読み出し制御
回路１１３は図示しない液晶パネルを駆動する同期信号でメモリ１１２に格納さ
れたデータの読み出しを行う。これにより、メモリ１１２からは同期変換された
二値化信号ｄ１が出力されるようになっている。
【０００５】
図４からは明確ではないが、通常メモリ１１２はいわゆるダブルバッファメモ
リ方式を採用しており、書画カメラの同期信号のフレーム信号が発生するたびに、
このダブルバッファメモリを構成する２つのメモリをそれぞれ交互に書き込み用
／読み出し用に切り換えて書き込み、読み出しを行っている。このような同期変
換回路では、書き込み側と読み出し側で同期信号が異なり、また互いに非同期で
あるから、書画カメラの同期信号のフレームレートをもとに書画カメラからの信
号をメモリ１２に書き込み、しかる後読み出しに切り換えたとしても、図５の
（１）に示すように、切換の時点で読み出し側のフレームレートの途中になる。
【０００６】
そうすると、この時点で今まで読み出しを行っていたメモリ側の映像と新規に
読み出し側になったメモリの映像とが１画面上で混在するという、いわゆる「胴
切れ」現象が生じる。この「胴切れ」は、一度ならず、書き込み／読み出しの切
換の度に常に発生し、非常に見づらい映像が表示されるという欠点があった。
【０００７】
【特許文献１】特開２０００−３４１５８８号
【発明の開示】
【発明が解決しようとする課題】
【０００８】
上述のように従来例によれば、フレームレートの異なる映像信号を表示する
ことが可能であり、種々のフレームレートを有する書画カメラ付き液晶プロジェ
クタを提供できる。
しかしながら、走査変換回路として上述したような同期変換回路をそのまま使
用すると、その構成要素であるダブルバッファメモリの書き込み／読み出しの切
換時点で、いわゆる「胴切れ」現象が発生し、非常に見づらい映像が表示される
という問題点があった。
【０００９】
本発明は、上記課題を解決するためになされたもので、ダブルバッファメモリ
の書き込み／読み出し切換を単に書き込み側の同期信号から生成された書き込み
／読み出し切換信号により実行するのではなく、この書き込み／読み出し切換信
号を液晶パネル駆動用同期信号でラッチすることで読み出し側の同期信号と同期
を取ってダブルバッファメモリの書き込み／読み出しを切り換えるようにするこ
とで読み出しの途中で読み出し側のメモリが切り換えられることをなくし、いわ
ゆる「胴切れ」の発生を確実に防止できる書画カメラ付き液晶プロジェクタの走
査変換回路を提供することを目的とする。
【課題を解決するための手段】
【００１０】
本発明になる書画カメラ付き液晶プロジェクタの走査変換回路は、液晶駆動用
同期信号Ｘのフレームレートと異なるフレームレートの同期信号Ｙを有する書画
カメラからの映像も拡大投影する書画カメラ付き液晶プロジェクタに用いられる
走査変換回路であって、交互に書き込み／読み出しが切り換え可能な２フレーム
分の映像格納領域を備えるダブルバッファメモリと、液晶駆動用同期信号Ｘを基
に、前記ダブルバッファメモリに格納されている映像データの読み出しを制御す
る読み出し制御信号と読み出しアドレス信号を生成する読出制御信号生成部と、
書画カメラの同期信号Ｙと液晶駆動用同期信号Ｘを受けて、同期信号Ｙにより前
記ダブルバッファメモリの書き込み／読み出し切換信号の基になる信号を生成し
、この信号を同期信号Ｘでラッチすることにより読み出し側の同期信号と同期を
取って前記ダブルバッファメモリの書き込み／読み出し切換信号を生成すること
；この書き込み／読み出し切換信号と同期信号Ｙを基に、前記ダブルバッファメ
モリの書き込みを制御する書き込み制御信号と書き込みアドレス信号を生成する
こと；を実行する書込制御信号生成部と、これらの書き込み制御信号および書き
込みアドレス信号と読み出し制御信号および読み出しアドレス信号を前記書き込
み／読み出し切換信号で前記ダブルバッファメモリの書き込み側／読み出し側の
メモリにそれぞれ選択して出力する選択部とを有することを特徴とするものであ
る。
【００１１】
また、この書画カメラ付き液晶プロジェクタは書画カメラとしてＣＣＤカラー
カメラを用いることを特徴とするものである。
【発明の効果】
【００１２】
本発明によれば、書き込み側の同期信号から生成された書き込み／読み出し切
換信号の基になる信号を液晶パネル駆動用同期信号でラッチすることで読み出し
側の同期信号と同期を取ってダブルバッファメモリの書き込み／読み出しを切り
換えるようにしたので、読み出しの途中で読み出し側のメモリの切換が起こらな
いようになるから、いわゆる「胴切れ」の発生を確実に防止できる書画カメラ付
き液晶プロジェクタの走査変換回路を提供できる。
【発明を実施するための最良の形態】
【００１３】
以下、本発明を実施するための最良の形態について図面を参照して説明する。
図１は、本発明になる走査変換回路を内蔵した書画カメラ付き液晶プロジェク
タの概略構成図である。図２は図１の構成部であって、内蔵メモリを有するカラ
ー処理部、回転処理部、走査変換部、および映像信号処理部についてメモリと共
に表現した図であり、また各メモリの構成を示すと共に、書画カメラからの映像
信号の流れをも示した図である。
【００１４】
図１において、１は書画カメラ付き液晶プロジェクタであり、書画カメラ１１、
カラー処理部１２、回転処理部１３、走査変換部１４、切換部１５、映像信号処
理部１６、液晶パネル１７、書込制御信号生成部１８、読出制御信号生成部１９、
液晶パネル駆動信号生成部２０、および操作部２１から構成される。また、外部
映像装置３１は、書画カメラ付き液晶プロジェクタ１の入力源の一つを構成する
要素であり、例えばパーソナルコンピュータ等が用いられる。本発明になる走査
変換回路は、走査変換部１４、書込制御信号生成部１８および読出制御信号生成
部１９から構成される。
図２に示すように、カラー処理部１２、回転処理部１３、映像信号処理部１６
はそれぞれ１フレーム分映像を格納可能なメモリを内蔵し、走査変換部１４は交
互に書込用／読出用となる１フレーム分の映像を格納可能な２フレームのダブル
バッファメモリを内蔵する。
【００１５】
次に、各構成要素について、その機能の概要を説明する。
書画カメラ１１はＵＸＧＡの解像度を有するＣＣＤカラーカメラで、図示しな
い原稿載置台に載置された原稿を撮像し、アナログ映像信号としてカラー処理部
１２と書込制御信号生成部１８に出力する。カラー処理部１２は書込制御信号生
成部１８の制御のもとに書画カメラ１１からのアナログ映像信号をＲ、Ｇ、Ｂの
三原色の映像信号にデコードすると共にＵＸＧＡサイズの映像をＸＧＡサイズの
映像に圧縮したデジタル信号に変換し、回転処理部１３に出力する。回転処理部
１３は操作部２１からの操作指示による書込制御信号生成部１８の制御のもとに
カラー処理部１２からのデジタル映像信号を９０度単位で回転させ、回転後のデ
ジタル映像信号を走査変換部１４に出力する。
【００１６】
走査変換部１４は前述したようにダブルバッファメモリを内蔵しており、この
回転後のデジタル映像信号を書込制御信号生成部１８の制御のもとにダブルバッ
ファメモリの一方のメモリに書込み、読出制御信号生成部１９の制御のもとこの
ダブルバッファメモリの他のメモリから読み出すことにより液晶パネル１７の駆
動信号に同期した走査周波数に走査変換されたデジタル映像信号を切換部１５に
出力する。走査変換部１４には、書込制御信号生成部１８からの書込制御信号お
よび書込アドレス信号と読出制御信号生成部１９からの読出制御信号および読出
アドレス信号をそれぞれ書き込み側／読み出し側のメモリに出力するための選択
部が設けられている。
【００１７】
切換部１５は操作部２１の操作によって出力するデジタル映像データを切り換
える。入力源が書画カメラに設定されている場合は、書画カメラで撮像され、走
査変換部１４で走査変換されたデジタル映像データが、入力源が外部入力に設定
されている場合は、外部映像装置３１からのデジタル映像データが選択的に切り
換えられ映像信号処理部１６に出力される。
【００１８】
映像信号処理部１６は操作部２１からの指示により読出制御信号生成部１９の
制御のもと、ズームやスクロール等の処理を行い、処理後のデジタル映像信号を
液晶パネル１７に出力する。液晶パネル１７は液晶パネル駆動信号生成部２０の
制御のもと、映像信号処理部１６からのデジタル映像信号を透過させ、図示しな
い拡大投射処理部へ出力する。
【００１９】
書込制御信号生成部１８は書画カメラ１１からの同期信号を受けて、カラー処
理部１２、回転処理部１３、および走査変換部１４に内蔵されているメモリの書
き込み制御信号および書き込みアドレス信号を生成する。これらの信号は、カラ
ー処理部１２および回転処理部１３に内蔵されているメモリの読出制御信号およ
び読み出しアドレスとしても使用される。また、読出制御信号生成部１９からの
読出制御信号を受けて、メモリの書き込み／読み出し切換信号のもとになる信号
をラッチしてメモリの書き込み／読み出し切換信号を生成する。
【００２０】
このように、書き込み側の制御信号のみをもってメモリの書き込み／読出し切
換を行わないのは、走査変換部１４において、書き込み側と読み出し側でフレー
ムレートが異なるだけでなく、非同期であるため、切換の時点が読み出し側のメ
モリを完全に終了せずに途中で切り換わってしまい、そのためにいわゆる「胴切
れ」が発生してしまうのを防止するためである。
【００２１】
これに対して、カラー処理部１２および回転処理部１３で書き込み側と読み出
し側で同じ制御信号同じアドレス信号を使用できるのは、走査変換を行っていな
いので書き込み側と読み出し側とで同じ制御信号が用いられているので書き込み
と読み出しのメモリの切換がフレームメモリの途中で切り換えられることがない
ので、いわゆる「胴切れ」が発生しないからである。
【００２２】
読出制御信号生成部１９は液晶パネル駆動信号生成部２０からの同期信号を受
けて、走査変換部１４および映像信号処理部１６に内蔵されているメモリの読み
出し制御信号および読み出しアドレス信号を生成する。液晶パネル駆動信号生成
部２０は、液晶パネル１７を駆動する信号を生成し、読出制御信号生成部１９お
よび液晶パネル１７に出力する。操作部２１は書画カメラ付き液晶プロジェクタ
１の動作指示を行う操作部である。外部映像装置３１は、例えばパーソナルコン
ピュータであり、ここで生成された映像信号を書画カメラ付き液晶プロジェクタ
１の入力源の一つとなる。
【００２３】
次に、このように構成された書画カメラ付き液晶プロジェクタ１における映像
信号の流れを説明することで、本発明になる走査変換回路の動作を説明する。
【００２４】
最初に、書画カメラ付き液晶プロジェクタ１の図示しない原稿載置台に原稿を
載置する。そうすると、この原稿は書画カメラ１１で撮像され、その映像信号は
カラー処理部１２と書込制御信号生成部１８に送られる。書込制御信号生成部１
８では前述のようにカラー処理部１２、回転処理部１３および走査変換部１４に
内蔵されるメモリに、この映像信号を書き込むために必要な書き込み制御信号お
よび書き込みアドレス信号を生成する。
【００２５】
書画カメラ１１で撮像された映像信号はカラー処理部１２に入力され、ここで
デジタル映像データに変換され、書込制御信号生成部１８からの書き込み制御信
号および書き込みアドレス信号を受けて内蔵するメモリに格納する。そして、こ
の書き込み制御信号および書き込みアドレス信号を使用してカラー処理部１２に
内蔵されるメモリからデジタル映像データが読み出され、回転処理部１３に送ら
れる。
【００２６】
回転処理部１３においては、このデジタル映像データを書込制御信号生成部１
８からの制御信号とアドレス信号に基づいて、内蔵するメモリに格納する。そし
て、同じ制御信号とアドレス信号に基づいて読み出され、走査変換部１４に送ら
れる。このとき、アドレス信号は操作部２１からの回転指示を受けて９０度単位
で変換される。例えば、右に９０度回転させる場合には、回転がないときの水平
アドレス信号および垂直アドレス信号をそれぞれ垂直アドレス信号および水平ア
ドレス信号に変換して、回転処理部１３に内蔵されるメモリに供給するようにす
る。
【００２７】
前述したように、走査変換部１４においては書込制御信号生成部１８からの書
き込み／読出し切換信号の制御のもとに内蔵するダブルバッファメモリを交互に
一方を書込用メモリに、他の一方を読出用メモリに設定されている。
したがって、回転処理部１３から送られてくるデジタル映像データは書込制御
信号生成部１８からの書き込み制御信号および書き込みアドレス信号に基づいて
内蔵するダブルバッファメモリの一方に交互に書き込まれる。
【００２８】
そして、書き込み中でない方のメモリから、読出制御信号生成部１９からの読
出し制御信号および読み出しアドレス信号に基づいてデジタル映像データを読み
出す。これらの制御信号およびアドレス信号は走査変換部１４に内蔵される選択
部により所要のメモリに出力される。
こうすることによって、書画カメラ１１の同期信号に基づく書込系の走査系か
ら液晶パネル駆動信号に基づく読出系の走査系への走査変換が行われる。こうし
て読み出されたデジタル映像データは切換部１５に送られる。
【００２９】
切換部１５は、操作部２１の操作により入力源を書画カメラ系に切り替えて置
けば、走査変換部１４からのデジタル映像データは切換部１５を介して映像信号
処理部１６に送られる。
【００３０】
映像信号処理部１６では、読出制御信号生成部１９からの制御信号およびアド
レス信号に基づいて、切換部１５からのデジタル映像データを内蔵するメモリに
格納し、読出し、液晶パネル１７に送る。このとき、必要により操作部２１から
の指示によりズームやスクロールが実行される。液晶パネル１７に送られたデジ
タル映像データは液晶パネル駆動信号生成部２０からの駆動信号に基づいて図示
しない光学系へ送出され、拡大投射される。
このようにして、書画カメラ１１から得られた映像信号は使用している液晶パ
ネルに合わせた走査周波数に変換されて、拡大投射される。
【図面の簡単な説明】
【００３１】
【図１】本発明になる走査変換回路である走査変換部を内蔵した書画カメラ付き液晶プロジェクタの概略構成図である。
【図２】本発明になる書画カメラ付き液晶プロジェクタの構成部でメモリを必要とするカラー処理部、回転処理部、走査変換部、および映像信号処理部についてメモリと共に表現した図であり、また各メモリの構成を示すと共に、書画カメラからの映像信号の流れをも示した図である。
【図３】本発明により、「胴切れ」が生じなくなったことを示すタイミングチャート図である。
【図４】従来の同期変換回路である。
【図５】従来の同期変換回路における胴切れが生じることを示すタイミングチャート図である。
【符号の説明】
【００３２】
１  書画カメラ付き液晶プロジェクタ
１１  書画カメラ
１２  カラー処理部
１３  回転処理部
１４  走査変換部
１５  切換部
１６  映像信号処理部
１７  液晶パネル
１８  書込制御信号生成部
１９  読出制御信号生成部
２０  液晶パネル駆動信号生成部
２１  操作部
３１  外部映像装置
１１１  書き込み制御回路
１１２  メモリ
１１３  読み出し制御回路
【図１】
2005258237.tif 000003
【図２】
2005258237.tif 000004
【図３】
2005258237.tif 000005
【図４】
2005258237.tif 000006
【図５】
2005258237.tif 000007